(57)【要約】【課題】被検ガスを採取すべき測定対象個所が暗い場所であるときにも、被検ガス採取者がサンプリングチューブの先端部の位置を容易に確認することのできる可搬型ガス検知器を提供すること。【解決手段】この可搬型ガス検知器は、可搬型ガス検知器本体と、ガスサンプリング装置とよりなり、ガスサンプリング装置は、サンプリングチューブ操作部と、このサンプリングチューブ操作部に一体的に設けられ、先端部に被検ガス採取口が形成されたサンプリングチューブとを備えてなり、当該サンプリングチューブには、その先端部に発光部が設けられている。【選択図】  図１
2007108128.tif 000002
【特許請求の範囲】
【請求項１】
可搬型ガス検知器本体と、ガスサンプリング装置とよりなり、
ガスサンプリング装置は、サンプリングチューブ操作部と、このサンプリングチューブ操作部に一体的に設けられ、先端部に被検ガス採取口が形成されたサンプリングチューブとを備えてなり、
当該サンプリングチューブには、その先端部に発光部が設けられていることを特徴とする可搬型ガス検知器。
【発明の詳細な説明】
【技術分野】
【０００１】
本発明は、測定対象個所における被検ガス（サンプルガス）を採取するためのサンプリングチューブを有し、当該被検ガス中の測定対象ガスについてその濃度を検知する可搬型ガス検知器に関するものである。
【背景技術】
【０００２】
従来から、例えば測定対象個所における炭化水素ガスの濃度を検知するための方法として、炭化水素ガスを水素炎中で燃焼させてイオン化してイオン電流を検出し、その検出結果に基づいて当該炭化水素ガスの濃度を検知する方式が利用されている。
このような検知方式によるガス検知器としては、種々のものが提案されており（例えば特許文献１参照。）、例えば地中に埋設された導管および供給管からのガス漏洩検査などにおいては、可搬型のものが用いられている。
【０００３】
一般に、可搬型ガス検知器のある種のものにおいては、被検ガス採取用のサンプリングチューブをガス検知器本体に接続し、例えばガス検知器本体に設けられたポンプにより、検査対象空間のガスを吸引して採取する方法が利用されている。
このようなガス検知器によれば、サンプリングチューブの先端部に形成された被検ガス採取口を、目的とする測定対象個所に位置させることにより、人がそのままでは入ることができない場所にある測定対象個所についても、被検ガスを採取することができるので、高い利便性が得られる。
【特許文献１】特開２０００−２２７４１６号公報
【発明の開示】
【発明が解決しようとする課題】
【０００４】
然るに、測定対象個所が、地中、タンク、その他の光の入らない暗い場所である場合には、サンプリングチューブの被検ガス採取口が位置する先端部が見えないため、被検ガス採取者は、自分の手で操作しているサンプリングチューブの先端部の位置を予想して被検ガスの採取を行っているのが現状である。
しかしながら、サンプリングチューブの先端部の位置の確認が不十分なことから、目的とする測定対象個所から外れた個所のガスを被検ガスとして採取してしまうおそれも大きく、採取された被検ガスが目的の測定対象個所のものでない場合には、単に当該ガス検知操作が無駄になるのみでなく、得られるガス検知結果が所期のものでないため、その結果が却って危険な事態を招く原因ともなる。
【０００５】
本発明は、以上のような事情に基づいてなされたものであって、その目的は、被検ガスを採取すべき測定対象個所が暗い場所であるときにも、被検ガス採取者がサンプリングチューブの先端部の位置を容易に確認することのできる可搬型ガス検知器を提供することにある。
【課題を解決するための手段】
【０００６】
本発明の可搬型ガス検知器は、可搬型ガス検知器本体と、ガスサンプリング装置とよりなり、
ガスサンプリング装置は、サンプリングチューブ操作部と、このサンプリングチューブ操作部に一体的に設けられ、先端部に被検ガス採取口が形成されたサンプリングチューブとを備えてなり、
当該サンプリングチューブには、その先端部に発光部が設けられていることを特徴とする。
【発明の効果】
【０００７】
本発明の可搬型ガス検知器によれば、ガスサンプリング装置におけるサンプリングチューブの被検ガス採取口が形成された先端部に発光部が設けられているので、被検ガスを採取すべき測定対象個所が暗い場所であるときにも、当該発光部からの発光を視認することによって当該サンプリングチューブの被検ガス採取口が形成されている先端部の位置を容易に確認することができ、従って、目的とする測定対象個所におけるガスを被検ガスとして確実に採取することができる。従って、得られるガス検知結果が高い信頼性を有するものとなる。
【発明を実施するための最良の形態】
【０００８】
以下、本発明について図面を参照して説明する。
図１は、本発明の可搬型ガス検知器の一例におけるガスサンプリング装置の一部を断面で示す説明用側面図、図２は、ガスサンプリング装置におけるサンプリングチューブ操作部の概略を示す説明用正面図、図３は、ガスサンプリング装置のサンプリングチューブの先端部を示す説明用正面図である。
【０００９】
この可搬型ガス検知器は、ガスサンプリング装置１０と、図２にＭで示す可搬型ガス検知器本体を具えている。ガスサンプリング装置１０は、ガス検知器本体Ｍの動作を制御するための指示計部１２と、この指示計部１２から伸びるよう、その基端部が当該指示計部１２に連結された、例えば長さ８０ｃｍのガス吸引ノズルからなるサンプリングチューブ１６と、指示計部１２の手元側に一体的に設けられた、サンプリングチューブ１６の指向状態を手で操作するためのサンプリングチューブ操作部１７とを備えている。
【００１０】
サンプリングチューブ１６の基端には、採取された被検ガスをガス検知器本体Ｍに供給するガス供給用パイプ１４が接続されており、また、一端が指示計部１２に接続されると共に他端がガス検知器本体Ｍに接続される信号伝達用ケーブル１５が設けられている。図１において、２８は、携行用保持具であるストラップである。
【００１１】
サンプリングチューブ１６には、その先端部に被検ガス採取口２０が形成されていると共に、当該先端部の近傍位置の外周面に、発光体２２が設けられている。この発光体２２は、特に限定されるものではなく、任意の発光作用を発揮する小型のものを用いることができ、例えば発光ダイオード、化学発光物質、電球、蓄光材、その他を利用することができる。発光体２２は、その数や配置は特に限定されるものではない。
【００１２】
そして、当該発光体が例えば電気エネルギーを必要とするものである場合には、サンプリングチューブ１６に沿ってリードを設けることができるが、爆発の危険を回避するために、リードは絶縁被覆を有することが必要であり、例えばサンプリングチューブ１６を構成するパイプ体の肉厚内を経由するよう設けられることができる。
【００１３】
指示計部１２は、背面における上方位置に斜め上方を向く傾斜面部１２Ａを備えた略箱状のケース１１を備えており、このケース１１の正面に、表示部１８Ａおよび制御操作部１８Ｂが設けられている。
そして、この制御操作部１８Ｂに、発光体２２を点灯または発光動作させるためのスイッチ（図示せず）が設けられており、発光体２２の動作状態が表示部１８Ａに表示される構成とされている。
【００１４】
サンプリングチューブ１６は、その基端部がフィルター１６Ａを介してケース１１の傾斜面部１２Ａに連結されており、これにより、当該サンプリングチューブ１６の先端側部分が斜め上方向に伸びる状態で、サンプリングチューブ操作部１７と一体的に設けられている。
【００１５】
指示計部１２の内部における正面側領域には、回路基板１３が上下方向に延びるよう配設されており、この回路基板１３の背面側に、一端がサンプリングチューブ１６に接続されたガス供給用パイプ１４が下方に向かって伸びるよう配設されていると共に、一端が回路基板１３に接続された信号伝達用ケーブル１５が下方に向かって伸びるよう配設されている。そして、ガス供給用パイプ１４および信号伝達用ケーブル１５の他端部は、ケース１１の下面中央位置より外部に導出されている。
【００１６】
サンプリングチューブ操作部１７には、被検ガス採取者が手で握って保持するため保持用グリップ部１７Ａが形成されており、その内部には、ガス供給用パイプ１４および信号伝達用ケーブル１５が挿通された状態で配設されている。
【００１７】
サンプリングチューブ操作部１７の下端面には、その下面から延び出るガス供給用パイプ１４および信号伝達用ケーブル１５が共に内部に挿通されてこれを保護する、例えば塩化ビニル樹脂よりなる変形自在な外套ホース１９が設けられている。
【００１８】
ガス検知器本体Ｍは、例えば可充電型電池を電源とする水素炎イオン化式ガス検知器により構成されている。このガス検知器本体１０は、人が背負って携行することのできるランドセル型のものとすることができ、当該ガス検知器本体Ｍには、表示部および制御操作部が設けられている。
【００１９】
また、ガス検知器本体Ｍには、吸引ポンプ（図示せず）が設けられており、その吸引力がサンプリングチューブ１６に作用され、これにより、被検ガス採取口２０から被検ガスが採取されてガス検知器本体Ｍに供給され、ガス検知器本体Ｍに設けられたセンサーにより、例えば目的とする炭化水素ガスの濃度が測定され、その情報が、指示計部１２の表示部１８Ａに表示される。
【００２０】
而して、本願発明によれば、ガスサンプリング装置１０において、サンプリングチューブ１６の先端部に発光体２２が設けられているため、当該測定対象個所が暗い場所であるときには、発光体２２を動作させて発光させることにより、被検ガス採取者は、当該発光体２２からの光を視認することによって被検ガス採取口の位置を正確に知ることができ、その結果、常に確実に所期の測定対象個所におけるガスを被検ガスとして採取することができる。
【００２１】
以上、本発明の実施形態について説明したが、本発明は上記の実施形態に限定されるものではなく、種々の変更を加えることができる。
例えば、発光体２２を動作させるためのスイッチは、サンプリングチューブ操作部１７の保持用グリップ部１７Ａに設けることもできる。
また、上記実施形態においては、ガス検知器本体が検出者によって背負われて使用される場合について説明したが、その携行を可能とするための手段は限定されず、適宜の装着具によってガス検知器本体を肩に吊り下げた状態で使用しても、あるいは、例えばガス検知器本体載置用の手押し車を用い、地上を走行させて使用してもよい。
更に、本願発明において、ガス検知器本体は、そのガス検知手段は限定されず、水素炎イオン化式ガス検知器によらず、他の原理または方式によるセンサーを具えるものであってもよいことは勿論である。
【図面の簡単な説明】
【００２２】
【図１】本発明の可搬型ガス検知器の一例におけるガスサンプリング装置の一部を断面で示す説明用側面図である。
【図２】図１に示すガスサンプリング装置におけるサンプリングチューブ操作部の概略を示す説明用正面図である。
【図３】図１に示すガスサンプリング装置のサンプリングチューブの先端部を示す説明用正面図である。
【符号の説明】
【００２３】
１０  ガスサンプリング装置
Ｍ  可搬型ガス検知器本体
１１  ケース
１２  指示計部
１２Ａ  傾斜面部
１３  回路基板
１４  ガス供給用パイプ
１５  信号伝達用ケーブル
１６  サンプリングチューブ
１６Ａ  フィルター
１７  サンプリングチューブ操作部
１７Ａ  保持用グリップ部
１８Ａ  表示部
１８Ｂ  制御操作部
１９  外套ホース
２０  被検ガス採取口
２２  発光体
２８  ストラップ
【図１】
2007108128.tif 000003
【図２】
2007108128.tif 000004
【図３】
2007108128.tif 000005